(57)【要約】【課題】筐体の特にユーザの手が降れる部分の熱問題を軽減することのできる携帯型ＨＤＤ動画再生装置を提供する。【解決手段】動画ストリームを蓄積するＨＤＤ２４と、このＨＤＤ２４から動画ストリームを読み出して再生するための電子部品を実装したメイン基板２２と、メイン基板２２により再生された動画を表示するＬＣＤ２１と、ＨＤＤ２４、メイン基板２２、およびＬＣＤ２１を一体に収容した筐体１と、ＬＣＤ２１の画面の高さの方向において筐体１の上部に設けられた排気穴１１と、排気穴１１に近接して設けられた冷却ファン２５とを具備する。【選択図】    図３    
2005092930.tif 000002
【特許請求の範囲】
【請求項１】
動画ストリームを蓄積するハードディスクドライブと、
このハードディスクドライブから動画ストリームを読み出して再生するための電子部品を実装した基板と、
前記動画再生部により再生された動画を表示するパネル形状の表示部と、
前記ハードディスクドライブ、前記基板、および前記表示部を一体に収容した筐体と、  前記表示部の画面の高さの方向において前記筐体の前記画面より高い位置に設けられた排気穴と、
前記排気穴に近接して設けられたファンと
を具備することを特徴とする携帯型ＨＤＤ動画再生装置。
【請求項２】
電源用のバッテリ部を有し、
このバッテリ部は、前記表示部の画面の高さの方向において前記筐体の前記画面より低い位置に配置されていることを特徴とする請求項１に記載の携帯型ＨＤＤ動画再生装置。
【請求項３】
前記表示部の画面に対して直交する方向において、前記表示部、前記基板、前記ハードディスクドライブの順でこれらが前記筐体内に配置されていることを特徴とする請求項１に記載の携帯型ＨＤＤ動画再生装置。
【請求項４】
温度を検出する温度検出部と、
この温度検出部の検出結果に基づいて前記ファンの回転数を制御する制御部とをさらに有することを特徴とする請求項１に記載の携帯型ＨＤＤ動画再生装置。
【請求項５】
前記基板に実装された電子部品が、動画ストリームのハードウェアデコードを行う回路を含むことを特徴とする請求項１に記載の携帯型ＨＤＤ動画再生装置。
【発明の詳細な説明】
【技術分野】
【０００１】
本発明は、ＨＤＤに動画ストリームを蓄積して再生する携帯型ＨＤＤ動画再生装置に関する。
【背景技術】
【０００２】
近年、ＬＣＤ（Liquid Crystal Display）などのパネル型表示器を搭載した様々なカテゴリの電子機器が存在する。この種の電子機器で、携帯性を特に重視したハンドヘルドタイプの機器では、パネル型表示器やプリント基板などが発熱源であるものの、全体的な発熱量はピーク時においてもさほど高くはならず、これといった熱対策を講じるまでには及ばないことが一般であった。
【０００３】
しかし、ハンドヘルドタイプの機器に求められる機能や用途も多様化しつつあり、発熱量の大きなデバイスの搭載などにより具体的な熱対策が必須となることが予想される。電子機器の一般的な熱対策としては、冷却ファンによる空冷、ヒートシンクによる熱放出などが知られる。
【特許文献１】特開２０００−２０１７２号公報
【発明の開示】
【発明が解決しようとする課題】
【０００４】
本発明者は、現在、動画ストリームを格納するハードディスクドライブ（以下、「ＨＤＤ」と呼ぶ。）を内蔵し、このＨＤＤに蓄積されたＭＰＥＧ（Moving Picture Coding Experts Group）２動画ストリームをハードウェアデコードして再生し、ＬＣＤに表示することのできる携帯型ＨＤＤ動画再生装置を開発検討中である。このようにＬＣＤのみならず、ＨＤＤ、ハードウェアＭＰＥＧ２デコーダなどを搭載した機器の発熱量は全体としてかなり大きなものとなり、その熱対策が求められていた。特に、動画再生を鑑賞する際にはユーザは機器を長い時間手で持ち続けることとなる場合が多い。このため、熱問題へのより効果的な対策が求められていた。
【０００５】
本発明は、このような課題を解決するためになされたものであり、筐体の特にユーザの手が降れる部分の熱問題を軽減することのできる携帯型ＨＤＤ動画再生装置を提供することを目的としている。
【課題を解決するための手段】
【０００６】
かかる目的を達成するために、本発明にかかる携帯型ＨＤＤ動画再生装置は、動画ストリームを蓄積するハードディスクドライブと、このハードディスクドライブから動画ストリームを読み出して再生するための電子部品を実装した基板と、前記動画再生部により再生された動画を表示するパネル形状の表示部と、前記ハードディスクドライブ、前記基板、および前記表示部を一体に収容した筐体と、前記表示部の画面の高さの方向において前記筐体の前記画面より高い位置に設けられた排気穴と、前記排気穴に近接して設けられたファンとを具備することを特徴とするものである。
【０００７】
この発明の携帯型ＨＤＤ動画再生装置では、表示部の画面の高さの方向において筐体の画面より高い位置に排気穴を設け、この排気穴からファンで筐体内の熱を放出するようにしたことによって、筐体内のハードディスクドライブ、基板、表示部といった発熱源の熱を効率的に外部に放出でき、筐体の加熱を軽減することができる。したがって、ユーザは長い時間携帯型ＨＤＤ動画再生装置を手に持ち続けても熱による不快感を覚えることが低減される。
【０００８】
また、本発明の携帯型ＨＤＤ動画再生装置は、電源用のバッテリ部を有し、このバッテリ部は、表示部の画面の高さの方向において筐体の画面より低い位置に配置した構成をとることもできる。重量の大きいバッテリ部を低い位置に配置したことによって、ユーザが携帯型ＨＤＤ動画再生装置を手で保持しているときの安定感が良好になる。
【０００９】
さらに、本発明の携帯型ＨＤＤ動画再生装置は、表示部の画面に対して直交する方向において、表示部、基板、ハードディスクドライブの順でこれらが筐体内に配置された構成をとる。すなわち、ユーザの手が触れやすい筐体の表示面の反対側の面から、発熱量の大きいものほど遠くに離して配置したことによって、ユーザの手が降れる部分の熱問題を効率的に軽減することができる。
【００１０】
さらに、本発明の携帯型ＨＤＤ動画再生装置は、温度を検出する温度検出部と、この温度検出部の検出結果に基づいてファンの回転数を制御する制御部とを設けた構成をとる。これにより、発熱量に応じた最適な冷却能力が得られる。
【００１１】
また、基板上に動画ストリームのハードウェアデコードを行う回路を搭載する場合においては、全体の発熱量はさらに高くなるので、本発明の携帯型ＨＤＤ動画再生装置の有用性がより一層増す。
【発明の効果】
【００１２】
本発明の携帯型ＨＤＤ動画再生装置によれば、筐体の特にユーザの手が降れる部分の熱問題を軽減することができる。
【発明を実施するための最良の形態】
【００１３】
以下、図面を参照して本発明の実施の形態について説明する。
【００１４】
図１は、本発明の一実施形態にかかる携帯型ＨＤＤ動画再生装置の外観を示す斜視図、図２は同じくこの携帯型ＨＤＤ動画再生装置１００を正面から示した平面図、図３は同じくその断面図、図４は同じくこの携帯型ＨＤＤ動画再生装置を上から見た平面図である。
【００１５】
この携帯型ＨＤＤ動画再生装置１００は、片手で持てる程度のサイズの筐体１を有する。筐体１の正面側には、ＬＣＤの画面部２と、キー操作部３と、操作ボタン４と、各種状態を表示するためのＬＥＤ（Light Emitting Diode）表示部５とが設けられている。
【００１６】
キー操作部３は、図２に示すように、互いに同芯で配置され、各々個別に操作可能な３つのキー３１，３２，３３で構成されている。中心にあるキーは選択／実行を指定するためのＥＮＴＥＲキー３１である。このＥＮＴＥＲキー３１の外側のキーはメニュー選択時において使用されるメニュー選択関連キー３２である。さらにその外側のキーは再生時に使用される再生関連キー３３である。
【００１７】
メニュー選択関連キー３２および再生関連キー３３はそれぞれ、ＥＮＴＥＲキー３１を中心とする上下左右の各々の位置が押下されることによって、対応するキーコマンドが発生するようになっている。メニュー選択関連キー３２が発生するキーコマンドは、後述する各種メニュー画面の中での項目を選択するためのフォーカスの位置の上下左右へのシフトなどである。再生関連キー３３が発生するキーコマンドは、再生の早送り、巻き戻し、音声ボリュームの増減などである。
【００１８】
操作ボタン４には、各種設定用の画面を呼び出すためのＳＥＴＵＰボタン４１、動画ストリームの再生経過（残り）時間などを表示するためのＤＩＳＰＬＡＹボタン４２、再生開始と一時停止を指示するための再生ボタン４３、再生停止を指示するための停止ボタン４４などがある。
【００１９】
ＬＥＤ表示部５には、パワーオン状態を表示するパワーオン表示部５１、バッテリ充電中を表示する充電表示部５２、ストリーム転送中などのビジィ状態を表示するビジィ表示部５３などがある。
【００２０】
筐体１の一方の側面部には、上から順にＤＣ電源接続のためのＤＣＩＮジャック６、ＵＳＢ（Universal Serial Bus）接続のためのＵＳＢコネクタ７、ＡＶ出力用のＡＶＯＵＴジャック８が設けられている。また、ストラップ取り付け部９も設けられている。筐体１の他方の側面部には主電源のＯＮ／ＯＦＦ操作のためのＰＷＲキー（図示省略）が設けられている。筐体１の上面部には、図４に示すように、ヘッドフォン用ジャック１０と、スリット状の多数の排気穴１１が並べて設けられている。筐体１の下部には、スリット状の多数の吸気穴１２が並べて設けられている。
【００２１】
図５は、図３の断面図における筐体１のみを示した図である。同図に示すように、筐体１は正面側の筐体部品１Ａ，中間の筐体部品１Ｂ，背面側の筐体部品１Ｃで構成されている。正面側の筐体部品１Ａと背面側の筐体部品１Ｃはそれぞれ携帯型ＨＤＤ動画再生装置１００の外形の主に正面と背面を形成する筐体部品である。中間の筐体部品１Ｂは携帯型ＨＤＤ動画再生装置１００の外形の上部側面と左右側面となる部分を有しており、この筐体１の上部側面となる部分には、図４に示したように上記の排気穴１１が設けられている。正面側の筐体部品１Ａと背面側の筐体部品１Ｃは中間の筐体部品１Ｂを挟んで互いに接合されている。筐体１の下部には半円断面形状部１５が形成されており、この半円断面形状部１５では正面側の筐体部品１Ａと背面側の筐体部品１Ｃは互いに直接突合せで接合されている。また、この半円断面形状部１５の正面側の筐体部品１Ａの側に上記の吸気穴１２が設けられている。中間の筐体部品１Ｂの下部は筐体１の下部の半円断面形状部１５に倣って断面Ｕ字状に曲折されている。この部分を中間の筐体部品１Ｂの曲折部１４と呼ぶ。
【００２２】
また、筐体１の正面側には、ＬＣＤの画面部２および操作ボタン４を覆うことのできる透明なアクリルカバー３５の着脱が可能となっており、このアクリルカバー３５によってＬＣＤの画面部２の傷や埃の付着などからの保護を図っている。このアクリルカバー３５には、キー操作部３の部分を露出する開口３６が設けられており、アクリルカバー３５を装着した状態でのキー操作部３の操作が可能となっている。
【００２３】
次に、この携帯型ＨＤＤ動画再生装置１００の内部の構造について説明する。
【００２４】
図３に示すように、筐体１内の部品は、携帯型ＨＤＤ動画再生装置１００の高さ方向において上寄りの位置に収容された部品群と下寄りの位置に収容された部品群とに配置上分けられている。上寄りの位置に収容された部品群としてはバックライト付のＬＣＤ２１、メイン基板２２、ＨＤＤ基板２３、ＨＤＤ２４、冷却ファン２５などがあり、下寄りの位置に収容された部品群としては複合インバータ基板２６、バッテリパック２７などがある。上寄りの位置に収容された、ＬＣＤ２１、メイン基板２２、ＨＤＤ２４は、携帯型ＨＤＤ動画再生装置１００内の主な発熱源であり、その発熱量を比較すると、ＬＣＤ２１>メイン基板２２>ＨＤＤ２４の順となることが一般である。
【００２５】
この携帯型ＨＤＤ動画再生装置１００では、これら主な発熱源である部品を、正面側から背面側に向けて、発熱量の高いものから順に配置している。このような配置の選定によって、背面側の筐体部品１Ｃの加熱を他の並び順に比べて最も低く抑えることができる。この携帯型ＨＤＤ動画再生装置１００はユーザが手に持って動画鑑賞を楽しめるように設計されたものであり、鑑賞時にはユーザの手が背面側の筐体部品１Ｃに最も広い面で接触することとなるので、背面側の筐体部品１Ｃの温度上昇を最小限に抑えられることで、熱による不快感をユーザに与える度合を軽減できる。
【００２６】
また、筐体１内の熱は、筐体１内の最上部に配置された冷却ファン２５がうみだす、筐体１の下部に設けられた吸気穴１２から、図４に示す筐体１の上部の排気穴１１を通じての気流によって外部に放出されるようになっている。これにより、筐体１内の発熱源は効率的に空冷されるので、ユーザへの熱問題はより一層軽減されることになる。
【００２７】
中間の筐体部品１ＢのＵ字状の曲折部１４の内側には、これに包囲されるようにして電源用のバッテリパック２７が配置されている。また、この曲折部１４の先端側にある平坦な面の正面側（画面側）には複合インバータ基板２６が支持されている。すなわち、バッテリパック２７と複合インバータ基板２６とは中間の筐体部品１Ｂの曲折部１４によって隔てられている。ここで、複合インバータ基板２６とは、操作ボタン４やキー操作部３の動作に関連する部品や、ＬＣＤ２１のバックライトを駆動するためのインバータなどが実装された基板である。このように、バッテリパック２７と複合インバータ基板２６とが中間の筐体部品１Ｂの曲折部１４によって隔てられていることで、バッテリパック２７からの液漏れによる複合インバータ基板２６への影響を回避できるとともに、キー操作部３が操作された際の圧力がバッテリパック２７に直接加わることを回避してバッテリパック２７の保護を図ることができる。
【００２８】
なお、バッテリパック２７は大きな熱源とはならないので、ユーザの手が最も密に触れる機会の多い下部背面寄りに配置しても問題ない。また、バッテリパック２７は筐体１内の部品の中で最も比重が高く重量が大きいので、筐体１の最下部に配置することによって、鑑賞中にユーザが携帯型ＨＤＤ動画再生装置１００を手で保持しているときの安定感が良好になる。
【００２９】
なお、この実施形態の携帯型ＨＤＤ動画再生装置１００では、図３に示したように、筐体１の下部に吸気穴１２を設けたが、図１２に示すように、筐体１の背面側のバッテリパック２７のすぐ上の位置に吸気穴１２を設けてもよい。
【００３０】
図１３は、この携帯型ＨＤＤ動画再生装置１００の内部構造を層ごとに示した平面図である。ＬＣＤ２１のバックライトは接続配線１３１を通じて複合インバータ基板２６の画面側面に固定されたコネクタ１３２と接続され、この接続配線１３１を通じて複合インバータ基板２６からＬＣＤ２１のバックライトにその点灯と制御に必要な信号が供給される。また、ＬＣＤ２１は接続配線１３３を通じてメイン基板２２の画面逆側面に固定されたコネクタ１３４と接続され、この接続配線１３３を通じてメイン基板２２からＬＣＤ２１に必要な信号が供給される。メイン基板２２と複合インバータ基板２６とは各々の画面側面に固定されたコネクタ１３５，１３６とコネクタ１３５，１３６間に接続された接続配線１３７を通じて電気的に接続され、相互に必要な信号の通信を行う。さらに、メイン基板２２の画面側面には２つの冷却ファン２５，２５に駆動信号を供給するための接続配線１３８，１３９の一端がそれぞれ接続された２つのコネクタ１４０，１４１が設けられている。メイン基板２２とＨＤＤ基板２３とは、メイン基板２２の画面逆側面に設けられたコネクタ１４２とＨＤＤ基板２３の画面側面に設けられたコネクタ１４３との間を接続する接続配線１４４によって相互に通信が行えるようになっている。メイン基板２２には、ＤＣ（直流）ＩＮジャック６、ＵＳＢコネクタ７、ＡＶ出力用のＡＶＯＵＴジャック８、ヘッドフォン用ジャック１０が設けられている。ＨＤＤ基板２３にはシステムをリセットするためのスイッチ１４５が設けられている。バッテリパック２７から引き出された接続配線１４６はメイン基板２２の画面側面に設けられたコネクタ１４７に接続されている。ＨＤＤ２４はＨＤＤ基板２３の画面逆側面に設けられたコネクタ１４８を通じてＨＤＤ基板２３と電気的に接続されている。
【００３１】
次に、この携帯型ＨＤＤ動画再生装置１００の電気的な構成について図６を用いて説明する。同図は主にメイン基板２２に実装された回路の構成を示すものである。
【００３２】
同図において、システムコントローラ６１には、操作用の各種キー３，４の操作、ＰＷＲキー６２の操作、ＡＣ（交流）電源の接続（ＡＣ検出）６３、リセットＩＣ６４の出力、バッテリ６５の電圧、温度センサー６６などの監視を行い、監視結果に応じた処理を実行する。リセットＩＣ６４はリセットＳＷ６７が操作されたときにリセット操作信号を発生するＩＣである。
【００３３】
システムコントローラ６１はＰＷＲキー６２が押されたことを検知すると、システムの起動処理を行い、各デバイスを動作可能な状態に初期設定する。また、パワーオン表示部５１を点灯するように制御を行う。システム稼動中にＰＷＲキー６２が押されたことを検知した場合にはシステムの終了処理を行う。
【００３４】
システムコントローラ６１はリセットＩＣ６４よりリセット操作信号を受信すると、システムをリセット処理すなわち終了処理に続いて起動処理を行う。
【００３５】
システムコントローラ６１はＡＣ電源の接続（ＡＣ検出）６３を検知すると電源回路６８の制御を行い、バッテリ６５の充電制御を行う。電源回路６８はその近傍に配置された温度センサー６９の出力に基づき、たとえば設定温度以上の高温が検出された場合に自動的にオフするようになっている。
【００３６】
システムコントローラ６１はバッテリ電圧の監視結果に基づいてバッテリ６５の残量を計算して画面上のバッテリ残量表示を制御する。
【００３７】
システムコントローラ６１は温度センサー６６の出力に基づいて冷却ファン２５の回転数を制御する。すなわち、温度に対して比例的に冷却能力を高めるように制御する。
【００３８】
また、システムコントローラ６１は、キー操作部３および操作ボタン４のキー操作を監視して、操作されたキーの種類に応じたイベント処理を行う。
【００３９】
システムコントローラ６１は、ＣＰＵ（Central Processing Unit）７１、ＲＡＭ（Random Access Memory）７２、ＲＯＭ（Read Only Memory）７３、Ａ／Ｄ変換回路７４、シリアルＰＷＭ（Pulse Width Modulationl）制御制御回路７５などで構成され、これらはバス７６を通じて接続されている。ＣＰＵ７１はＲＯＭ７３に記憶されているファームウェアによりＲＡＭ７２を作業領域に用いて各種の演算処理と制御を実行する。Ａ／Ｄ変換回路７４は、上記した操作用の各種キー３，４の操作、ＰＷＲキー６２の操作、ＡＣ電源の接続（ＡＣ検出）６３、リセットＩＣ６４の出力、バッテリ６５の電圧、温度センサー６６などの監視結果であるアナログ値をデジタル値に変換する部分である。シリアルＰＷＭ制御回路７５はヘッドフォン８１のミュート制御、ＬＣＤ２１のバックライト８２の輝度を制御するＰＷＭ信号をインバータ８３に供給する。
【００４０】
ＵＳＢ端子８５が接続されたＵＳＢブリッジ８６、ＨＤＤ２４、ＤＭＡ（Direct Memory Access）転送回路８７はＩＤＥ（Integrated Drive Electronics）バス８８を通じて相互に接続されており、ＵＳＢ端子８５に接続されたＰＣから転送された動画ストリームなどのデータはＵＳＢブリッジ８６からＩＤＥバス８８を通じてＨＤＤ２４に記録されるようになっている。
【００４１】
ＤＭＡ転送回路８７は、ＨＤＤ２４から読み出されたデータをＭＰＥＧ２デコーダ８９に転送する回路である。ＤＭＡ転送回路８７は４つのセレクタ９０，９１，９２，９３とＤＭＡコントローラ９４とを有している。第１のセレクタ９０は、ＩＤＥバス８８のデータを選択するためのセレクタであり、システムコントローラ６１がＨＤＤ２４をアクセスするためのＡＴＡ（AT Attachment）コマンドに基づいてＤＭＡ転送回路８７をＩＤＥバス８８と接続状態にする。第１のセレクタ９０は、バッファメモリ９５に接続された第２のセレクタ９１と第１のＤＭＡ伝送路９６で接続されている。したがって、第１のセレクタ９０によりＩＤＥバス８８から抽出されたデータは第１のＤＭＡ伝送路９６、第２のセレクタ９１を通じてバッファメモリ９５に転送される。
【００４２】
このＨＤＤ２４からバッファメモリ９５へのデータ転送において、システムコントローラ６１は第１のセレクタ９０に出力するＡＴＡコマンドの発行タイミングを制御して、ＨＤＤ２４からのデータの読み出しが間欠的に行われるようにしている。具体的には、たとえば所定の再生時間分の動画ストリームの単位でＨＤＤ２４からデータを読み出してバッファメモリ９５に転送し、バッファメモリ９５のデータが空になったところで、ＨＤＤ２４から次の再生時間分の動画ストリームを読み出すように、システムコントローラ６１から第１のセレクタ９０に対してＡＴＡコマンドが発行される。これにより、ＨＤＤ２４に対するアクセスは間欠的に行われることになり、ＨＤＤ２４の発熱量の低減および消費電力の低減を図ることができる。
【００４３】
バッファメモリ９５に蓄積された動画などのデータは、バッファメモリ９５に所定の再生時間分の動画ストリームが蓄積されたところで第２のセレクタ９１によって読み出され、第２のセレクタ９１とＭＰＥＧ２デコーダ８９とを接続する第２のＤＭＡ伝送路９７を通じてＭＰＥＧ２デコーダ８９に転送される。ＭＰＥＧ２デコーダ８９は、ＭＰＥＧ２で符号化された動画ストリームをハードウェアで復号する回路である。ＳＤＲＡＭ９８はこのＭＰＥＧ２デコーダ８９の作業領域として用いられるランダムアクセス可能なメモリである。
【００４４】
ＭＰＥＧ２デコーダ８９の出力のうち動画データはＬＣＤコントローラ９９に送られ、このＬＣＤコントローラ９９によってＬＣＤ２１の駆動が制御されることによって動画の再生が行われる。一方、ＭＰＥＧ２デコーダ８９より出力された音声データはＤ／Ａコンバータ１０１によってアナログ信号に変換された後、ヘッドフォン端子１０に接続されたヘッドフォンに送られる。また、ＡＶＯＵＴ端子１０２には外部のテレビジョンなどが接続できるようになっており、ＡＶＯＵＴ端子１０２に外部のテレビジョンが接続されているときには、Ｄ／Ａコンバータ１０１のアナログ信号はリニアアンプ１０３にて必要なレベルに増幅されるようになっている。
【００４５】
ＤＭＡ転送回路８７の第３のセレクタ９２は、システムコントローラ６１およびフラッシュＲＯＭ１０４が接続されているバス１０５との間で通信を行うものである。第３のセレクタ９２はシステムコントローラ６１から発生したＡＴＡコマンドをバス１０５から抽出して制御線１０６を通じて第１のセレクタ９０に通知する。
【００４６】
ＨＤＤ２４には、読み出し専用のデータとして、タイトルリスト、メニュー、設定画面などの構成要素であるビットマップや文字コードなどのデータが格納されている。システムコントローラ６１は、このビットマップおよび文字コードをＨＤＤ２４から読み出す場合には、第３のセレクタ９２を通じてＤＭＡコントローラ９４にその旨を通知する。ＤＭＡコントローラ９４は、この通知を受けると、第３のセレクタ９２と第２のセレクタ９１とのＤＭＡ伝送路９６を有効にするとともに、第４のセレクタ９３を制御して、第２のセレクタ９１とＭＰＥＧ２デコーダ８９とを接続する第３のＤＭＡ伝送路１０７を有効にする。
【００４７】
ＨＤＤ２４から読み出されてバッファメモリ９５にビットマップとともに保持された文字コードは、第２のセレクタ９１、第３のセレクタ９２、バス１０５を通じてシステムコントローラ６１に送られる。システムコントローラ６１は、この文字コードに対応するビットマップデータをフラッシュＲＯＭ１０４から読み出して第３のセレクタ９２に返す。ＤＭＡコントローラ９４はシステムコントローラ６１より応答された文字コードに対応するビットマップデータを第３のセレクタ９２から第４のセレクタ９３に送り、バッファメモリ９５から第２のセレクタ９１を通じて読み出されたビットマップと合成してＭＰＥＧ２デコーダ８９に出力するように制御を行う。
【００４８】
なお、第３のＤＭＡ伝送路１０７はビットマップ伝送用に第２のＤＭＡ伝送路９７よりも広いバス幅を有している。たとえば、第２のＤＭＡ伝送路９７は８本のデータ線と４本の制御線とで構成されるのに対し、第３のＤＭＡ伝送路１０７は１６本のデータ線、２４本のアドレス線、３本の制御線で構成されている。これにより、動画ストリームの再生時とビットマップの再生時との間でユーザの体感速度に大きな差が生じないようにしている。
【００４９】
次に、この携帯型ＨＤＤ動画再生装置１００を利用するためにＰＣ（Personal Computer）に適用される転送アプリケーションについて説明する。
【００５０】
図７はこの転送アプリケーションによってＰＣに表示される録画コンテンツの表示ウインドウ２０１を示している。この録画コンテンツの表示ウインドウ２０１には、ＰＣに録画された、あるいは録画予約された各動画ストリームの、名前、作成日時、録画済みかどうかの状態などの一覧が、録画順／録画予約順にたとえば上から下に表示されている。
【００５１】
携帯型ＨＤＤ動画再生装置１００に所望の動画ストリームを転送したい場合には、転送用のウインドウ２０２を呼び出し、録画コンテンツの表示ウインドウ２０１の中の所望の動画ストリームをマウスのドラッグアンドドロップなどの操作によって、転送用のウインドウ２０２内の転送動画ストリームの一覧表示ボックス２０３に落し込む。これにより、転送動画ストリームの一覧表示ボックス２０３に動画ストリームに関する情報が表示される。この後、転送用のウインドウ２０２内の転送ボタン２０４をマウスでクリックすることによって、ＰＣに携帯型ＨＤＤ動画再生装置１００が接続されていればＰＣから携帯型ＨＤＤ動画再生装置１００への動画ストリームの転送が直ちに開始される。転送ボタン２０４をマウスでクリックした時点でＰＣに携帯型ＨＤＤ動画再生装置１００が接続されていない場合は、携帯型ＨＤＤ動画再生装置１００が接続されると直ちに動画ストリームの転送が開始されるようになっている。
【００５２】
ここで、ＰＣに蓄積される動画ストリームにはＡＶＩ（Audio Video Interleaved）、ＷＭＶ（Windows （登録商標）Media Video）など、様々なフォーマットが知られている。携帯型ＨＤＤ動画再生装置１００はＭＰＥＧ２フォーマットの動画ストリームをデコードして再生する仕様となっているので、転送アプリケーションは、ＰＣから携帯型ＨＤＤ動画再生装置１００への動画ストリームの転送前に、動画ストリームのフォーマットをＭＰＥＧ２に自動変換し、ＭＰＥＧ２に変換された動画ストリームをＰＣから携帯型ＨＤＤ動画再生装置１００に自動転送する。
【００５３】
以上は、ユーザが手動で所望の動画ストリームを転送する場合の動作であるか、この動画コンテンツは容量が数Ｇ（ギガ）のものもあり、データ転送にはかなりの時間が見込まれる。そこで、この転送アプリケーションには転送予約機能が設けられている。この転送予約機能を用いる場合には、転送用のウインドウ２０２内の自動転送ボタン２０５をマウスでクリックする。すると、自動転送を開始する時刻を指定するためのウインドウが表示されるので、ここにユーザが希望する転送開始時刻を入力して決定すればよい。転送アプリケーションは、ユーザにより指定された転送開始時刻を記憶し、時計の時刻と比較して、指定された時刻になったなら、転送用のウインドウ２０２の転送動画ストリームの一覧表示ボックス２０３に表示されている動画ストリームを一つずつＰＣから携帯型ＨＤＤ動画再生装置１００へフォーマット変換を通じて転送する。
【００５４】
なお、転送用のウインドウ２０２の転送動画ストリームの一覧表示ボックス２０３に表示されている動画ストリームは上から順に転送されるようになっている。この動画ストリームの表示順位は順位変更ボタン２０６、２０７をマウスでクリックすることによって自在に変更することができる。すなわち、順位を変更したい動画ストリームをマウスで選択後、順位変更ボタン２０６を一回クリックすることで、選択動画ストリームの順位が一つ上に移動し、逆に順位変更ボタン２０７を一回クリックすることで、選択動画ストリームの順位が一つ下に移動するようになっている。さらに、削除したい選択動画ストリームをマウスで選択後、削除ボタン２０８をクリックすることで、転送動画ストリームの一覧表示ボックス２０３から選択動画ストリームが削除されて転送対象から外すことも可能である。
【００５５】
次に、この携帯型ＨＤＤ動画再生装置１００の操作と操作画面について説明する。図１４はパワーオンから動画再生が開始までの処理手順である。
【００５６】
この携帯型ＨＤＤ動画再生装置１００のＰＷＲキーがユーザによって押されるると、このことがシステムコントローラ６１によって検出され、システムコントローラ６１はＲＯＭ７３に格納されたファームウェアに従って各デバイスの初期化を行う（ステップ１４０１）。この後、内蔵タイマーが起動される（ステップ１４０２）。続いて、ＵＳＢで接続されているＰＣから携帯型ＨＤＤ動画再生装置１００に動画ストリームの転送が開始され、転送が完了すると、携帯型ＨＤＤ動画再生装置１００はＰＣから転送完了通知を外部割り込みとして受ける（ステップ１４０３）。携帯型ＨＤＤ動画再生装置１００は、外部割り込みを受けると、画面に表示するメニューを作成して表示するメニュー処理を開始する（ステップ１４０４）。
【００５７】
最初に、図８に示すようなアクションメニュー３０１が作成されて表示される。このアクションメニュー３０１には、最後に再生された動画ストリームのタイトル名、作成日時、録画時間などの動画ストリームに関する情報３０２と、選択可能なアクションの種類を示す項目３０３〜３０７が表示されるようになっている。アクションの種類には「タイトル一覧表示に戻る」「続きから再生」「最初から再生」「削除」「ツメを折る」などがある。これらの項目３０３〜３０７のうちの一つにフォーカス３０８が位置しており、ユーザはキー操作部３のメニュー選択関連キー３２を操作することによって自在にフォーカス３０８の位置を上下にシフトさせることができる。フォーカス３０８の初期位置は常に「続きから再生」の項目にあり、前回再生を中断した時刻からの動画ストリームの鑑賞をフォーカス３０８のシフト操作無しで即座に開始できるようにしている。すなわち、ユーザはシステムの起動直後にアクションメニュー３０１が表示された後、そのままキー操作部３のＥＮＴＥＲキー３１を押すことによって前回再生を中断した時刻からの動画ストリームを鑑賞することができる。
【００５８】
「タイトル一覧表示に戻る」の項目にフォーカスをシフトさせてキー操作部３のＥＮＴＥＲキー３１が押された場合には、図９に示すようなタイトル一覧４０１がアクションメニュー３０１に代わって表示される。このタイトル一覧４０１には携帯型ＨＤＤ動画再生装置１００のＨＤＤ２４に記録されているすべての動画ストリームのタイトルの項目４０２〜４０８が表示される。これらのタイトルの項目４０２〜４０８のうちの一つにフォーカス４０９が位置しており、ユーザはキー操作部３のメニュー選択関連キー３２を操作することによって自在にフォーカス４０９の位置を上下にシフトさせることができる。フォーカス４０９の初期位置は常に最後に再生したタイトルの項目にあり、最後に鑑賞したタイトルをユーザが認識できるようにしている。このタイトル一覧４０１の中からユーザは鑑賞したいタイトルの項目にメニュー選択関連キー３２の操作によってフォーカスを移動させ、ＥＮＴＥＲキー３１を押すことによって別のタイトルを鑑賞することができる。
【００５９】
さて、図１４のフローチャートに戻り、上記のようにして鑑賞したいタイトルがユーザによって選択されると（ステップ１４０５）、そのタイトル動画ストリームのＨＤＤ２４からの読み込みが開始される（ステップ１４０６）。そしてＨＤＤ２４から読み込まれた動画ストリームの再生処理が行われる（ステップ１４０７）。すなわち、ＨＤＤ２４から読み出された動画ストリームはバッファメモリ９５にＤＭＡ転送されてバッファリングされた後、ＭＰＥＧ２デコーダ８９にＤＭＡ転送されて復号される。ＬＣＤコントローラ９９はＭＰＥＧ２デコーダ８９から出力された動画データに基づきＬＣＤ２１を駆動し、これによって動画がＬＣＤ２１の画面に表示される。一方、ＭＰＥＧ２デコーダ８９によって復号された音声データはＤ／Ａコンバータ１０１によってアナログ信号に変換された後、ヘッドフォン端子１０に接続されたヘッドフォンに送られる（ステップ１４０７）。
【００６０】
アクションメニュー３０１で「最初から再生」の項目３０５がユーザにより選択された場合には、最後に再生したタイトルの動画ストリームが最初から再生される。
【００６１】
アクションメニュー３０１で「削除」の項目３０６がユーザにより選択された場合には、最後に再生したタイトルの動画ストリームがＨＤＤ２４が削除される。すなわち、鑑賞し終わったタイトルの動画ストリームなどを、少ない操作でＨＤＤ２４から削除することができる。
【００６２】
アクションメニュー３０１で「ツメを折る」の項目３０７がユーザにより選択された場合には、ＨＤＤ２４に記録されている該当する動画ストリームに対して削除禁止の保護がかけられることになる。
【００６３】
次に、環境設定用の画面について説明する。図１０はこの環境設定用の画面５０１を示している。この環境設定用の画面５０１は、たとえばＳＥＴＵＰボタン４１を押すことによって呼び出すことができる。環境設定用の画面５０１には、表示に関する各種の設定、音声に関する各種の設定、その他を行うことができる。この環境設定用の画面５０１には、表示設定用のアイコン５０２、音声設定用のアンコン５０３、その他のアイコン５０４などが表示されており、各アイコン５０２〜５０４のうちの一つをメニュー選択関連キー３２の操作によるフォーカスの移動とＥＮＴＥＲキー３１によって指定することができるようになっている。表示の設定に関しては、バックライトの輝度調整５０５、色合い５０６、色の濃さ５０７、ピクチャ５０８、コントラスト５０９、アラーム５１０などがある。各々の設定項目の選択も、メニュー選択関連キー３２の操作によるフォーカスの移動とＥＮＴＥＲキー３１によって行うことが可能である。
【００６４】
ここで、アラーム５１０とは、ユーザによって任意の設定された残り時間をタイマーにセットし、図１１に示すように、動画ストリームの再生中などに、残り時間５１１を常に画面の一部に表示し、残り時間がゼロになったところで、たとえばアラーム音声などを動画再生時の音声に合成して出力する機能である。テレビ放送などには放送中の時刻の文字が挿入されている場合があるので、携帯型ＨＤＤ動画再生装置１００での鑑賞時にユーザが現在時刻を間違え、電車などでの乗り過ごしが起き易くなることが考えられる。上記のアラーム機能を利用することによって、ユーザは動画コンテンツの鑑賞に没頭する中で、設定時間の経過をアラームで知ることとなり、電車などでの乗り過ごしの防止を図れる。
【００６５】
図１１は、動画ストリームの再生経過（残り）時間６０１を表示する画面６０２の例を示している。この動画ストリームの再生経過（残り）時間６０１は、たとえばＤＩＳＰＬＡＹボタン４２を押すことによって、再生中の動画ストリームの上に、数値６０２とイメージ６０３とで表示されるようになっている。
【００６６】
また、動画ストリームの再生中は、再生関連キー３３の操作によって再生の早送り、巻き戻し、音声ボリュームの増減などを行うことができる。再生関連キー３３は、図２に示したように、右側の位置を押すことによって早送りが実行され、左側の位置を押すことによって巻き戻しが行われる。再生関連キー３３の向かって右側の位置を一度押した場合には、決められた一定時間分（たとえば１５秒）の早送りが実行され、一定時間以上押し続けることによって、押されている間の連続早送りが実行されるようになっている。さらに、連続早送りが開始されてからさらに一定時間続けて押された場合には、早送り速度がアップするようになっている。具体的には、最初の連続早送りの速度は１５倍速とされ、次に６０倍速への切り替えが行われるようになっている。また、再生関連キー３３の向かって左側の位置を一度押した場合には、決められた一定時間分（たとえば１５秒）の巻き戻しが実行され、一定時間以上押し続けることによって、押されている間の連続巻き戻しが実行されるようになっている。さらに、連続巻き戻しが開始されてからさらに一定時間続けて押された場合には、巻き戻し速度がアップするようになっている。具体的には、最初の連続巻き戻しの速度は１５倍速とされ、次に６０倍速への切り替えが行われるようになっている。
【００６７】
なお、本発明は、上述の実施形態にのみ限定されるものではなく、本発明の要旨を逸脱しない範囲内において種々変更を加え得ることは勿論である。
【図面の簡単な説明】
【００６８】
【図１】本発明の一実施形態にかかる携帯型ＨＤＤ動画再生装置の外観を示す斜視図である。
【図２】図１の携帯型ＨＤＤ動画再生装置を正面から示した平面図である。
【図３】図１の携帯型ＨＤＤ動画再生装置の断面図である。
【図４】図１の携帯型ＨＤＤ動画再生装置を上から見た平面図である。
【図５】図３の断面図における筐体１を示した図である。
【図６】メイン基板に実装された回路の構成を示す図である。
【図７】転送アプリケーションによってＰＣに表示される録画コンテンツの表示ウインドウと転送用のウインドウを示す図である。
【図８】アクションメニューを示す図である。
【図９】タイトル一覧を示す図である。
【図１０】環境設定画面を示す図である。
【図１１】動画ストリームの再生経過（残り）時間を表示する画面を示す図である。
【図１２】本発明の携帯型ＨＤＤ動画再生装置の他の実施形態を示す断面図である。
【図１３】図１の携帯型ＨＤＤ動画再生装置の内部構造を層ごとに示した平面図である。
【図１４】図１の携帯型ＨＤＤ動画再生装置のパワーオンから動画再生が開始までの処理手順を示す図である。
【符号の説明】
【００６９】
１      筐体
２      ＬＣＤの画面部
３      キー操作部
４      操作ボタン
１１      排気穴
１２      吸気穴
２１      ＬＣＤ
２２      メイン基板
２３      ＨＤＤ基板
２４      ＨＤＤ
２５      冷却ファン
２６      複合インバータ基板
２７      バッテリパック
６９      温度センサー
８９      ＭＰＥＧ２デコーダ
１００      携帯型ＨＤＤ動画再生装置
【図１】
2005092930.tif 000003
【図２】
2005092930.tif 000004
【図３】
2005092930.tif 000005
【図４】
2005092930.tif 000006
【図５】
2005092930.tif 000007
【図６】
2005092930.tif 000008
【図７】
2005092930.tif 000009
【図８】
2005092930.tif 000010
【図９】
2005092930.tif 000011
【図１０】
2005092930.tif 000012
【図１１】
2005092930.tif 000013
【図１２】
2005092930.tif 000014
【図１３】
2005092930.tif 000015
【図１４】
2005092930.tif 000016